(57)【要約】【課題】ガイドプレートを設けることで、穀粒等が機外飛散となることを防ぐことが可能な脱穀機の揺動選別装置を提供する。【解決手段】揺動選別装置２は、扱室３から搬送されてきた排藁より落下した選別物を供給する４番口４１より後方側かつシール部材３１及び押さえプレート３２からなる非選別部の後端より前方側に、選別物を非選別部から選別部となるストローラック１５に誘導するガイドプレート２６を備えている。これにより、非選別部を移送されてきた選別物が後端に達する前に、非選別部から選別部に誘導することができ、揺動選別装置２の後端部分や後端部分に到達するまでの非選別部上からの穀粒等の機外飛散を防止することができて、穀粒回収率を向上することができる。【選択図】図５
2010017158.tif 000002
【特許請求の範囲】
【請求項１】
扱胴を収納する扱室の下方に配置され、左右の機壁の間で前後方向に揺動可能に支持された揺動選別装置と、前記扱室より後方側に搬送された排藁より落下した選別物を前記揺動選別装置に供給する供給口と、を備え、
前記揺動選別装置が前記扱胴により脱穀された選別物及び前記揺動選別装置上に供給された選別物を後方側へ移送しつつ選別物を選別する脱穀機において、
前記揺動選別装置は、
選別物を選別する選別部と、
前記揺動選別装置の側端部及び前記機壁の間を閉塞するシール部材を設けた非選別部と、を有し、
前記供給口より後方側かつ前記非選別部の後端より前方側に、選別物を前記非選別部から前記選別部に誘導するガイドプレートを設けてなる、
ことを特徴とする脱穀機。
【請求項２】
前記ガイドプレートは、前記揺動選別装置の前記非選別部に固定され、
前方側から後方側に向かうに従って前記非選別部から前記選別部に向かうように傾斜してなる、
ことを特徴とする請求項１記載の脱穀機。
【発明の詳細な説明】
【技術分野】
【０００１】
本発明は、コンバイン等に搭載される脱穀機に係り、詳しくは、前後方向に揺動可能に支持され、選別物を後方側に流動させつつ選別する揺動選別装置を備えた脱穀機に関する。
【背景技術】
【０００２】
従来、コンバイン等に搭載される脱穀機においては、扱胴を収納する扱室の下方に、前後方向に揺動可能に支持された揺動選別装置を備えたものがある。該揺動選別装置は、左右の脱穀側板の間で前後方向に揺動可能に支持された枠体と、該枠体に一体に固定され、穀粒及び藁屑等の選別物を比重選別しつつ後方側へ流動させるフィードパン、該フィードパンの後端に達した選別物を篩選別するチャフシーブ、及び切れ藁等を分離するストローラックと、を有して構成されている。
【０００３】
このような揺動選別装置には、左右の脱穀側板と枠体の間の隙間に、穀粒等の漏出を防ぐためにシール部材を設けたものがある（例えば特許文献１参照）。このものは、該シール部材上に乗って後方側へ移送された穀粒等が、揺動運動や選別風によってそのまま機外飛散となってしまう、いわゆる穀粒ロスになってしまうことを防止するために、枠体の後方側端部において、シール部材上から内側の選別可能領域に向けて穀粒等を誘導する補助シールを備えている。
【０００４】
【特許文献１】特開平８−１７２８８４号公報
【発明の開示】
【発明が解決しようとする課題】
【０００５】
しかし、上記特許文献１のものであっても、補助シールを備えた枠体の後端部分や該後端部分に到達するまでのシール部材上から、揺動運動や選別風によって穀粒等が機外飛散となる穀粒ロスになってしまうという問題があった。
【０００６】
そこで本発明は、ガイドプレートを設けることで、穀粒等が機外飛散となることを防ぐことが可能な脱穀機を提供することを目的とする。
【課題を解決するための手段】
【０００７】
請求項１に係る本発明は（例えば図１乃至図７参照）、扱胴（３ａ）を収納する扱室（３）の下方に配置され、左右の機壁（１ａ，１ｂ）の間で前後方向に揺動可能に支持された揺動選別装置（２）と、前記扱室（３）より後方側に搬送された排藁より落下した選別物を前記揺動選別装置（２）に供給する供給口（４１）と、を備え、
前記揺動選別装置（２）が前記扱胴（３ａ）により脱穀された選別物及び前記揺動選別装置（２）上に供給された選別物を後方側へ移送しつつ選別物を選別する脱穀機（１）において、
前記揺動選別装置（２）は、
選別物を選別する選別部（例えば１５）と、
前記揺動選別装置（２）の側端部及び前記機壁（１ａ，１ｂ）の間を閉塞するシール部材（３１）を設けた非選別部（３１，３２）と、を有し、
前記供給口（４１）より後方側かつ前記非選別部（３１，３２）の後端より前方側に、選別物を前記非選別部（３１，３２）から前記選別部（例えば１５）に誘導するガイドプレート（２６）を設けてなる、
ことを特徴とする脱穀機（１）にある。
【０００８】
請求項２に係る本発明は（例えば図４乃至図７参照）、前記ガイドプレート（２６）は、前記揺動選別装置（２）の前記非選別部（３１，３２）に固定され、
前方側から後方側に向かうに従って前記非選別部（３１，３２）から前記選別部（例えば１５）に向かうように傾斜してなる、
ことを特徴とする請求項１記載の脱穀機（１）にある。
【０００９】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１０】
請求項１に係る本発明によると、扱室から搬送されてきた排藁より落下した選別物を供給する供給口より後方側かつシール部材上である非選別部の後端より前方側に、選別物を非選別部から選別部に誘導するガイドプレートを設けたので、非選別部を移送されてきた選別物が後端に達する前に、非選別部から選別部に誘導することができ、揺動選別装置の後端部分や後端部分に到達するまでの非選別部上からの穀粒等の機外飛散を防止することができて、穀粒回収率を向上することができる。
【００１１】
請求項２に係る本発明によると、ガイドプレートは、揺動選別装置の非選別部に固定され、前方側から後方側に向かうに従って非選別部から選別部に向かうように傾斜しているので、非選別部に固定するだけの簡単な構成でありながら、非選別部上を揺動運動によって移送されてきた選別物を、詰まり等を生じることなく円滑に選別部に導くことができる。
【発明を実施するための最良の形態】
【００１２】
以下、本発明に関する実施の形態を図１乃至図７に沿って説明する。
【００１３】
コンバイン等に搭載される脱穀機１は、図１に示すように、回転自在に配置された扱胴３ａと該扱胴３ａの下方に配置された受網３ｂとを有する扱室３と、該扱室３に沿って穀稈を搬送するフィードチェーン５と、該フィードチェーン５の上側に沿って配置される挟持レール５ａと、フィードチェーン５の終端部で排藁を受け取り、該排藁を搬送する排藁搬送チェーン６とを備えている。
【００１４】
また、脱穀機１は、上記扱室３の下方に、唐箕ファン７及び排塵口４０によって形成された選別風路中で前後方向に揺動することで、扱室３より排出された穀粒や藁屑等の選別物を選別する揺動選別装置２を備えている。
【００１５】
さらに、該揺動選別装置２の下方には、１番物が搬送される１番ラセン８ａを収納する１番樋８が備えられており、該１番ラセン８ａの搬送終端部には、揚穀筒（図示せず）が連結され、１番樋８に収容された穀粒が該揚穀筒を介して揚上搬送されて穀粒タンク（図示せず）に貯留されるように構成されている。また、１番樋８の後方側には、２番物を搬送する２番ラセン９ａが収納された２番樋９が備えられており、該２番ラセン９ａの搬送終端部には、２番還元筒９ｂが連結され、２番樋９に収容された穀粒が該２番還元筒９ｂを介して揚上搬送されて、脱穀側板１ａに設けられた２番物放出口９ｃから揺動選別装置２上に還元されるように構成されている。さらに、上記扱室３の後方側には、図５に示すように、フィードチェーン５によって搬送されて扱室３から出てきた排藁より落ちる穀粒及び藁屑を傾斜面に沿って流下させ、揺動選別装置２上に放出する４番口（供給口）４１（図１及び図５参照）が設けられている。
【００１６】
上記揺動選別装置２は、図２乃至図６に示すように、扱室３の下方側かつ左右の脱穀側板（機壁）１ａ，１ｂの間に配置され、前方側から、選別物を後方側に向けて流動させるメインフィードパン１１、該メインフィードパン１１から流動してきた選別物を篩選別するチャフシーブ１２、及びストローラック１５を備えている。
【００１７】
また、チャフシーブ１２の上方側には、上記扱室３の後部に開口した排稈口３ｃや４番口４１から落下してくる藁屑及びささり粒等の選別物がチャフシーブ１２に直接落下することを規制すると共に、これら落下した選別物を後方側へ流動させるサブフィードパン１３が備えられており、該チャフシーブ１２の下方側には、１番選別網１６が備えられると共に、該１番選別網１６の下方には１番樋８に１番物を流下させる１番流板１７が備えられている。さらに、ストローラック１５の下方側には、２番樋９に２番物を流下させる２番流板１８が備えられている。そして、揺動選別装置２は、これらが固定配置された枠体２ａが支持リンクと駆動機構とからなる揺動支持機構（図示せず）により前後方向に揺動自在に支持されて構成されている。なお、メインフィードパン１１、チャフシーブ１２、サブフィードパン１３、及びストローラック１５によって揺動選別装置２上に供給される選別物を選別する選別部を構成している。
【００１８】
上記メインフィードパン１１には、漏下してきた選別物の層厚を均一にする寄せ板２１，２２，２３が設けられている。また、寄せ板２２は、前方側で量が多くなる扱室３からの漏下物と、後方側から漏下してくる２番物放出口９ｃからの２番物を区分けするため、他の寄せ板２１，２３よりも高さが高くなるように形成されている。なお、これら寄せ板２１，２２，２３は、扱室３及び２番放出口９ｃからの漏下物が脱穀側板１ａ側に集中するため、脱穀側板１ａ側の側端部を始点として後方側に延びるにしたがって脱穀側板１ｂ側に延びる傾斜状に形成されている。
【００１９】
上記サブフィードパン１３は、脱穀側板１ａ側に切欠き部を有しており、この切欠き部によって形成される空間Ａより、２番物放出口９ｃから放出される２番物がチャフシーブ１２上に落下するように構成されている。また、サブフィードパン１３は、脱穀側板１ｂ側に配置された支持側板１３Ａと、脱穀側板１ａ側に配置された支持取付部１３Ｂとによって揺動選別装置２の枠体２ａに固定されている。該支持取付部１３Ｂは、前方側が前取付部１３ｃによって、上記寄せ板２３の先端部に固定されており、後方側が規制板部１３ａを介した後取付部１３ｂによって、枠体２ａに固定されている。該規制板部１３ａは、上記空間Ａの後方側を閉塞するように板状に形成され、２番物放出口９ｃから放出された２番物がすぐに後方側に移送され、機外飛散になってしまうことを防止するように構成されている。
【００２０】
サブフィードパン１３の下方には、チャフシーブ１２上の選別物の層厚を均一にする寄せ板２５が配置されている。該寄せ板２５は、図１及び図３に示すように、該寄せ板２５の下端部とチャフシーブ１２の上面との間に隙間ｈを有しており、選別物が通過できるように構成されている。また、特に、寄せ板２５は基端側（前方側）よりも先端側（後方側）の方がチャフシーブ１２の上面との隙間ｈが広くなるように構成されており、先端側に行くにしたがって選別物が通過しやすくなっている。さらに、寄せ板２５は、サブフィードパン１３の下面に一体となるように溶着して取付けられており、例えば、寄せ板２５上に藁屑等が堆積してしまうこと、つまりサブフィードパン１３と寄せ板２５との間に藁屑等が詰まってしまうことを防止している。
【００２１】
また、寄せ板２５は、図２及び図６に示すように、基端部が上記サブフィードパン１３の前取付部１３ｃ及び寄せ板２３の先端部と共にボルト４５，４５及びナット４６，４６によって固定されている。これにより、サブフィードパン１３の取付部１３ｃ、寄せ板２３、及び寄せ板２５の強度の向上を図ることができると共に、取付けの構造の簡素化を図ることができる。
【００２２】
また、寄せ板２５は、該寄せ板２５の基端部と寄せ板２３の先端部とが隙間のないように接続され、後方側に延びるにしたがって脱穀側板１ｂ側に延びる傾斜状に形成されている。これにより、寄せ板２５の基端部と寄せ板２３の先端部との間に隙間がある場合に比して、選別物が隙間を介して出入りしてしまうことを防ぐことができ、例えば２番物の量が増加した際にも、寄せ板２３より前方側に落下した選別物を寄せ板２３，２５によって脱穀側板１ｂ側に寄せることができて選別のロスを低減することができる。つまり２番還元量が変動した場合でも、選別性能の変化をなくすことができ、材料適応性を向上させることができる。
【００２３】
上記枠体２ａは、左右両側端部が外側に向かって屈曲するように形成されており、この側端部の上面に、ゴム又はプラスチック材によって形成される可撓性を有する帯状のシール部材３１と、押さえプレート３２とが複数のボルトによって固定されている。該シール部材３１の外側端部は、脱穀側板１ａ，１ｂに上向き傾斜となるように摺接させて配置されており、枠体２ａと脱穀側板１ａ，１ｂとの間に形成される隙間から選別物等の漏下を防止するように構成されている。また、これらシール部材３１及び押さえプレート３２が配置された枠体２ａの側端部は、上述した選別物の選別が可能な選別部に対して、選別物が乗っても選別されずに移送されるだけの非選別部を構成している。
【００２４】
該枠体２ａの脱穀側板１ｂ側の後方部分には、図７に示すように、シール部材３１及び押さえプレート３２上（非選別部）に乗って後方側に搬送されてきた選別物を選別可能な内側部分のストローラック１５（選別部）に誘導するガイドプレート２６が設けられている。該ガイドプレート２６は、プレート部２６ａと取付部２６ｂとからなり、該取付部２６ｂがボルト５１及び枠体２ａ側に固着されたナット部５２によって固定されている。また、取付部２６ｂは、シール部材３１及び押さえプレート３２を枠体２ａに取付ける際のボルト５１及びナット部５２に共締めされることによって取付けられており、簡単な構造により取付けが可能になっている。
【００２５】
該プレート部２６ａは、図４乃至図６に示すように、前方側から後方側に向かうに従って脱穀側板１ｂ側（非選別部）からストローラック１５側（選別部）に向かうように傾斜して配置されており、前方側からシール部材３１及び押さえプレート３２上（非選別部）を移送されてきた選別物をスムーズにストローラック１５側（選別部）に導くように構成されている。また、プレート部２６ａは、脱穀側板１ｂに摺接するシール部材３１の上端部よりも高くなるように形成されており、シール部材３１及び押さえプレート３２上（非選別部）から選別風によって飛散しようとする選別物をストローラック１５側（選別部）に導くように構成されている。
【００２６】
また、ガイドプレート２６は、図１及び図５に示すように、４番口４１より後方側かつ揺動選別装置２後端部より前方側となる位置に配置されており、これにより、該４番口４１より放出されるささり粒等の選別物がシール部材３１及び押さえプレート３２上（非選別部）に乗って後方側に移送される場合にも、ストローラック１５側（選別部）に導くようにすることができる。
【００２７】
以上のように構成された本発明に係る脱穀機１は、扱室３で脱穀された穀粒や藁屑等の選別物を揺動選別装置２の揺動運動及び唐箕ファン７による風選別によって選別作用を行い、１番物は１番流板１７から１番樋８、１番ラセン８ａ及び揚穀筒を介して穀粒タンクに収容すると共に、ストローラック１５から切藁等の長い屑類を選別風路に向けて送出選別した後の２番物を、２番流板１８から２番樋９、２番ラセン９ａ及び２番還元筒９ｂを介して揺動選別装置２上に還元して再選別を行い穀粒を回収する。また、機体内で発生する藁屑等の排塵物は唐箕ファン７によって形成される選別風によって排塵口４０から機外に向けて排出される。
【００２８】
以上のように、本発明に係る脱穀機１の揺動選別装置２によると、扱室３から搬送されてきた排藁より落下した選別物を供給する４番口４１より後方側かつシール部材３１及び押さえプレート３２の後端より前方側に、選別物をシール部材３１及び押さえプレート３２からストローラック１５に誘導するガイドプレート２６を設けたので、シール部材３１及び押さえプレート３２上を移送されてきた選別物が後端に達する前に、シール部材３１及び押さえプレート３２上からストローラック１５に誘導することができ、揺動選別装置２の後端部分や後端部分に到達するまでのシール部材３１及び押さえプレート３２上からの穀粒等の機外飛散を防止することができて、穀粒回収率を向上することができる。
【００２９】
また、ガイドプレート２６は、揺動選別装置２の押さえプレート３２に固定され、前方側から後方側に向かうに従ってシール部材３１及び押さえプレート３２からストローラック１５に向かうように傾斜しているので、プレート３２に固定するだけの簡単な構成でありながら、シール部材３１及び押さえプレート３２上を揺動運動によって移送されてきた選別物を、詰まり等を生じることなく円滑にストローラック１５に導くことができる。
【図面の簡単な説明】
【００３０】
【図１】本発明の実施の形態に係る脱穀機を示す側面図。
【図２】脱穀機の一部を示す斜視図。
【図３】揺動選別装置を示す側面図。
【図４】揺動選別装置を示す斜視図。
【図５】脱穀機を示す斜視図。
【図６】揺動選別装置を示す平面図。
【図７】ガイドプレートを示す後方視図。
【符号の説明】
【００３１】
１        脱穀機
１ａ，１ｂ    機壁（脱穀側板）
２        揺動選別装置
３        扱室
３ａ      扱胴
１５      選別部（ストローラック）
２６      ガイドプレート
３１      非選別部（シール部材）
３２      非選別部（押さえプレート）
４１      供給口（４番口）
【図１】
2010017158.tif 000003
【図２】
2010017158.tif 000004
【図３】
2010017158.tif 000005
【図４】
2010017158.tif 000006
【図５】
2010017158.tif 000007
【図６】
2010017158.tif 000008
【図７】
2010017158.tif 000009